(57)【特許請求の範囲】
【請求項１】
下部走行体と、この下部走行体上に旋回自在に搭載された上部旋回体と、この上部旋回体の旋回駆動源としての旋回モータと、この旋回モータの圧油供給源としての可変容量型の油圧ポンプと、この油圧ポンプの吐出流量を可変制御するポンプレギュレータと、旋回の加速、定常運転、減速、停止を指令する旋回操作手段と、この旋回操作手段の操作に基づいて上記旋回モータに対する圧油の供給方向と供給量を制御するコントロールバルブと上記油圧ポンプの吐出流量のうち余剰流量をタンクに戻すリリーフ弁と、上記旋回操作手段の操作方向と操作量を検出する操作検出手段と、上記旋回モータの実回転数を検出するモータ回転数検出手段と、上記油圧ポンプの吐出流量を上記ポンプレギュレータに指令する制御手段とを備え、上記制御手段は、
(ｉ)  上記旋回操作手段の操作量から求められる上記旋回モータの目標回転数を一次目標回転数とし、
(ｉｉ)  上記操作量に応じて、大操作量で小さくなるゲインを、上記一次目標回転数と上記実回転数の偏差に乗じて補正回転数を求め、
(ｉｉｉ)  この補正回転数と上記実回転数の和で決まる二次目標回転数から上記旋回モータに供給すべき旋回流量を求め、
(ｉｖ)  この旋回流量が得られるようにポンプ吐出流量を制御する
ように構成したことを特徴とする旋回式作業機械。
【請求項２】
上記制御手段は、上記ポンプ吐出流量について、上記旋回操作手段の操作量と偏差に基づいて求められる第１の値と、上記旋回操作手段の操作量のみに応じて決まる第２の値の低位選択を行い、選択された値に向けてポンプ吐出流量を制御するように構成したことを特徴とする請求項１記載の旋回式作業機械。
【発明の詳細な説明】
【技術分野】
【０００１】
本発明はショベル等の旋回式作業機械に関するものである。
【背景技術】
【０００２】
ショベルを例にとって背景技術を説明する。
【０００３】
ショベルは、図６に示すようにクローラ式の下部走行体１上に上部旋回体２が地面に対して鉛直な軸Ｘまわりに旋回自在に搭載され、この上部旋回体２に掘削アタッチメント３が装着されて構成される。
【０００４】
掘削アタッチメント３は、起伏自在なブーム４と、このブーム４の先端に取付けられたアーム５と、このアーム５の先端に取付けられたバケット６、それにこれらを作動させるブーム、アーム、バケット各シリンダ（油圧シリンダ）７,８,９によって構成される。
【０００５】
また、他の油圧アクチュエータとして、下部走行体１の左右のクローラを駆動する左右の走行モータと、上部旋回体２を旋回駆動する旋回モータが設けられている。
【０００６】
各アクチュエータは、操作手段としてのリモコン弁の操作に基づくコントロールバルブの作動によって油圧源としての油圧ポンプからの圧油の給排が制御され、これによって各アクチュエータの作動方向と作動速度が制御される。
【０００７】
各アクチュエータ回路には、回路配管や機器が高圧によって破損することのないようにポンプ吐出管路とタンクとの間にメインリリーフ弁(以下、単にリリーフ弁という)が設けられ、回路圧がリリーフ圧を超えるとリリーフ弁が開いて圧油がタンクに逃がされる。
【０００８】
ここで、旋回モータを駆動する旋回回路においては、油圧ポンプとして可変容量ポンプを用い、このポンプの吐出流量(以下、ポンプ流量という)を、リモコン弁の操作量(以下、旋回操作量という)に応じて、大操作量で多くなるように制御するいわゆる「ポジコン(ポジティブコントロール)」方式が採用されている。
【０００９】
従って、旋回回路では、旋回操作量で決まるポンプ流量と、旋回モータの回転に実際に使用されるモータ流量(旋回流量)の差が余剰流量となり、この余剰流量がリリーフ弁からタンクに捨てられる。
【００１０】
つまり、この余剰流量(リリーフ流量)が多いほど油圧ポンプのエネルギー効率が悪くなる。
【００１１】
従来、この余剰流量をできるだけ少なくする手段として、特許文献１に示されているように、旋回時のポンプ圧と、リリーフ弁の圧力特性とからリリーフ流量を推定し、この推定値が０になるようにポンプ流量を制御するものが公知である。
【先行技術文献】
【特許文献】
【００１２】
【特許文献１】特開２００４−２２５８６７号公報
【発明の概要】
【発明が解決しようとする課題】
【００１３】
しかし、このようにリリーフ弁の圧力特性をもとにリリーフ流量(余剰流量)を「推定」する公知技術によると、推定の根拠となる圧力特性そのものにリリーフ弁ごとのばらつきや、温度によるばらつきがあることから、推定値の精度に問題がある。
【００１４】
このため、流量不足により旋回速度が不十分となって作業能率が悪くなったり、流量過多により余剰が多くなって省エネ効果が不十分となったりするおそれがある。
【００１５】
そこで本発明は、余剰流量を正確に求めて油圧ポンプの流量制御を適切に行うことができる旋回式作業機械を提供するものである。
【課題を解決するための手段】
【００１６】
上記課題を解決する手段として、本発明においては、下部走行体と、この下部走行体上に旋回自在に搭載された上部旋回体と、この上部旋回体の旋回駆動源としての旋回モータと、この旋回モータの圧油供給源としての可変容量型の油圧ポンプと、この油圧ポンプの吐出流量を可変制御するポンプレギュレータと、旋回の加速、定常運転、減速、停止を指令する旋回操作手段と、この旋回操作手段の操作に基づいて上記旋回モータに対する圧油の供給方向と供給量を制御するコントロールバルブと上記油圧ポンプの吐出流量のうち余剰流量をタンクに戻すリリーフ弁と、上記旋回操作手段の操作方向と操作量を検出する操作検出手段と、上記旋回モータの実回転数を検出するモータ回転数検出手段と、上記油圧ポンプの吐出流量を上記ポンプレギュレータに指令する制御手段とを備え、上記制御手段は、
(ｉ)  上記旋回操作手段の操作量から求められる上記旋回モータの目標回転数を一次目標回転数とし、
(ｉｉ)  上記操作量に応じて、大操作量で小さくなるゲインを、上記一次目標回転数と上記実回転数の偏差に乗じて補正回転数を求め、
(ｉｉｉ)  この補正回転数と上記実回転数の和で決まる二次目標回転数から上記旋回モータに供給すべき旋回流量を求め、
(ｉｖ)  この旋回流量が得られるようにポンプ吐出流量を制御する
ように構成したものである。
【００１７】
この構成によれば、基本的に、旋回操作量に応じた旋回モータの目標回転数と、検出された実回転数の偏差に基づいて余剰流量を０とするポンプ流量制御を行うため、公知技術のようにリリーフ流量の推定値に基づいてポンプ流量の制御を行う場合と比較して、正確な余剰流量に基づく適切な流量制御が可能となる。
【００１８】
これにより、旋回時の余剰流量を抑えてエネルギー効率を高めることができる。
【００１９】
この場合、旋回操作手段の操作量から求められる目標回転数を一次目標回転数とし、操作量に応じて、大操作量で小さくなるゲインを上記一次目標回転数と実回転数の偏差に乗じて補正回転数を求め、この補正回転数と上記実回転数の和で決まる二次目標回転数から上記旋回モータに供給すべき旋回流量を求める。
【００２０】
このため、操作量に応じた適切な流量特性を得ることができる。
【００２１】
具体的には、とくに起動時を含む加速時において、操作量が大きいほど偏差が大きくなり、余剰流量が多くなる。
【００２２】
そこで大操作量で偏差が小さくなるようにゲインを調整することで、ポンプ流量の増加を抑えることにより、余剰流量を減らすことができる。
【００２３】
一方、操作量が小さい場合は、ポンプ流量の増加に対してモータの速度変化が遅れるため、ゲインを上げて速度追従性を良くすることができる。
【００２４】
また本発明においては、上記制御手段は、上記ポンプ吐出流量について、上記旋回操作手段の操作量と偏差に基づいて求められる第１の値と、上記旋回操作手段の操作量のみに応じて決まる第２の値の低位選択を行い、選択された値に向けてポンプ吐出流量を制御するように構成するのが望ましい(請求項２)。
【００２５】
この構成によれば、旋回の加速、減速停止に応じた適切な流量制御が行われる。
【００２６】
すなわち、加速時には、偏差を０に近付けるフィードバック制御による第１の値が低位となるため、余剰流量を速やかに０とし、高い省エネ効果を得ることができる。
【００２７】
一方、減速停止時には、旋回操作量に応じたポジコン制御による第２の値が低位となる(操作量０でポンプ流量０となる)ため、旋回モータの実回転数が０になるまでポンプ流量を出し続ける第１の値による場合と比べて、速やかに旋回停止させることができる。すなわち、停止の応答性が良いものとなる。
【発明の効果】
【００２８】
本発明によると、余剰流量を正確に求めて油圧ポンプの流量制御を適切に行うことができる。
【図面の簡単な説明】
【００２９】
【図１】本発明の実施形態にかかる旋回回路のシステム構成を示す図である。
【図２】実施形態の制御フローである。
【図３】実施形態における旋回操作量と目標回転数の関係を示す図である。
【図４】実施形態において、旋回操作量が大きい場合と小さい場合とでゲインを変えることを説明するための図である。
【図５】二種類のポジコン値の低位選択を行うことを説明するための図である。
【図６】本発明の適用対象の一つであるショベルの概略側面図である。
【発明を実施するための形態】
【００３０】
実施形態は、図６に示すショベルを適用対象としている。
【００３１】
図１は上部旋回体２を旋回駆動する旋回回路のシステム構成を示す。
【００３２】
図１において、１０は図示しないエンジンによって駆動される油圧源としての油圧ポンプ１０はこの油圧ポンプ１０からの圧油により回転して上部旋回体２を旋回駆動する旋回モータで、油圧ポンプ１０及びタンクＴとこの旋回モータ１１との間に、旋回操作手段としてのリモコン弁１２(１２ａは操作用のレバーである)によって操作される油圧パイロット式の切換弁であるコントロールバルブ１３が設けられている。
【００３３】
リモコン弁１２は、中立位置と左右の旋回位置との間で操作され、このリモコン弁１２からのパイロット圧によりコントロールバルブ１３が図示の中立位置イと左、右両旋回位置ロ，ハとの間で切換わり動作して旋回モータ１１に対する圧油の給排、すなわち、旋回の加速(起動を含む)、速度一定での定常運転、減速、停止の各状態、そして回転方向と回転速度が制御される。
【００３４】
一方、コントロールバルブ１３と旋回モータ１１とを結ぶモータ両側管路（以下、図左側を左旋回管路、右側を右旋回管路という場合がある）１４,１５間には、一対のリリーフ弁(ポートリリーフ弁)１６,１７を互いの出口同士が接続された状態で対向配置したリリーフ弁回路１８と、一対のチェック弁１９,２０を互いの入口同士が接続された状態で対向配置したチェック弁回路２１とが並列状態で設けられている。
【００３５】
リリーフ弁、チェック弁両回路１８，２１は連通路２２によって接続されるとともに、この連通路２２が油吸い上げ用のメークアップライン２３によってタンクＴに接続されている。２４はメークアップライン２３に設けられた背圧弁である。
【００３６】
油圧ポンプ１０は、ポンプレギュレータ２５によって傾転(吐出流量)が調整される可変容量ポンプとして構成され、制御手段としてのコントローラ２６からポンプレギュレータ２５に送られる流量指令に基づいてその吐出流量(以下、単にポンプ流量という)が制御される。
【００３７】
２７は回路圧を設定値以下に規制するメインリリーフ弁である。
【００３８】
この旋回回路の基本的な作用は次の通りである。
【００３９】
リモコン弁１２が操作されないとき(レバー１２ａが中立のとき)はコントロールバルブ１３が図示の中立位置イにセットされ、リモコン弁操作時にコントロールバルブ１３が中立位置イから図左側の位置（左旋回位置）ロまたは右側の位置（右旋回位置）ハにリモコン弁操作量に応じたストロークで作動する。
【００４０】
コントロールバルブ１３の中立位置イでは、両旋回管路１４,１５がポンプ１０に対してブロックされるため、旋回モータ１１は回転しない。
【００４１】
この状態から、リモコン弁１２が左または右旋回側に操作されてコントロールバルブ１３が左旋回位置ロまたは右旋回位置ハに切換えられると、ポンプ１０から左旋回管路１４または右旋回管路１５に圧油が供給される。
【００４２】
これにより、旋回モータ１１が左または右に回転して旋回力行、すなわち起動を含む加速または定常運転状態となる。
【００４３】
この場合、旋回モータ１１から吐出された油はコントロールバルブ１３経由でタンクＴに戻る。
【００４４】
また、旋回中、回路圧が設定値を超えるとメインリリーフ弁２７が開き、余剰流量がタンクＴに戻される。
【００４５】
一方、たとえば右旋回力行中、リモコン弁１２が減速操作(中立復帰、または中立側への戻し操作)されると、旋回モータ１１への圧油の供給及び旋回モータ１１からタンクＴへの油の戻りが停止し、または供給油量及び戻り油量が減少する。
【００４６】
ここで、旋回モータ１１は上部旋回体２の慣性によって右旋回を続けようとするため、メータアウト側である左旋回管路１４に圧力が立ち、これが一定値に達すると図左側のリリーフ弁１６が開いて左旋回管路１４の油が同リリーフ弁１６−連通路２２−図右側のチェック弁２０を通って右旋回管路（メータイン側管路）１５に入り、旋回モータ１１に流入する。
【００４７】
これにより、旋回モータ１１が慣性回転しながら上記リリーフ作用によるブレーキ力を受けるため、減速し停止する。左旋回からの減速／停止時もこれと同じである。
【００４８】
また、この減速中、旋回管路１４または１５が負圧傾向になると、メークアップライン２３、連通路２２、チェック弁回路２１のルートで旋回管路１４または１５にタンク油が吸い上げられてキャビテーションが防止される。
【００４９】
この旋回回路においては、センサとして、リモコン弁１２からのパイロット圧を旋回操作量として検出してコントローラ２６に送るパイロット圧センサ２８，２９と、旋回モータ１１の回転数を検出する回転数センサ３０が設けられ、これらセンサ２８，２９，３０からの信号(旋回操作量信号、旋回モータ回転数信号)がコントローラ２６に入力される。
【００５０】
コントローラ２６は、検出された旋回操作量と旋回モータ回転数に基づいて必要なポンプ流量とこれを得るためのポンプ傾転が演算され、そのポンプ傾転がコントローラ２６からポンプレギュレータ２５に指令される。
【００５１】
３１はポンプ流量の演算に用いられるゲイン(比例定数)をオペレータが設定するためのゲイン設定器である。
【００５２】
コントローラ２６によるポンプ流量制御作用を図２の制御フローによって説明する。
【００５３】
この旋回回路は、基本的にはポジコン方式をとるため、まず旋回操作量に応じた旋回モータ１１の目標回転数(一次目標回転数)ｎｔ１が、図３のパイロット圧(旋回操作量)／目標回転数の特性から求められ、検出された旋回モータ１１の実回転数ｎｒとともに入力される。
【００５４】
次に、この目標回転数ｎｔ１と実回転数ｎｒの偏差αが求められ、制御ステップＳ１において、この偏差αにゲインを乗じて補正回転数ｎｒｅが算出される。
【００５５】
ゲインを乗じる理由を説明する。
【００５６】
図４の左側は旋回操作量が大きい場合、右側は旋回操作量が小さい場合を示し、図最上段に示すように旋回操作量に応じてリモコン弁パイロット圧の値と立ち上がりの角度が異なる。
【００５７】
図上から二番目はこのときの旋回モータ１１の一次目標、実両回転数ｎｔ１，ｎｒの時間に対摺る推移を示し、偏差αが、大操作量で大きく、小操作量で小さくなる。
【００５８】
すなわち、旋回操作量が大きくなるほど偏差αも大きくなり、通常のポジコンでは大操作量でポンプ流量の増加が激しくて余剰流量が増え、小操作量でポンプ流量の追従性が悪くなる。
【００５９】
そこで、図上から三番目に示すように、旋回操作量が大きい場合はゲインを下げてポンプ流量を下げ、旋回操作量が小さい場合はゲインを上げてポンプ流量を上げる。
【００６０】
これにより、図最下段に示すように、大操作量での余剰流量の発生を抑えてエネルギーロスを低減し、小操作量でのポンプ流量の追従性(アクチュエータの応答性)を良くする。
【００６１】
なお、上記ゲインは、ゲイン設定器３１により、オペレータの好みや用途等に応じて選択、変更することができる。
【００６２】
次に、制御ステップＳ２において、上記補正回転数ｎｒｅと実回転数ｎｒとを足して二次目標回転数ｎｔ２が求められ、この目標二次回転数ｎｔ２から、この回転数ｎｔ２を得るためのモータ流量(旋回流量)Ｑｓが求められる。
【００６３】
そして、制御ステップＳ３において、この旋回流量Ｑｓから、この旋回流量Ｑｓを得るためのポンプ傾転ｑｓが求められ、さらに制御ステップＳ４において、このポンプ傾転ｑｓを実現するためにコントローラ２６からポンプレギュレータ２５に送る電流(第１ポジコン電流)ｉｐ１が求められる。
【００６４】
一方、別途、旋回操作量のみによって決まる目標回転数(一次目標回転数)ｎｒ１をもとに、この一次目標回転数ｎｒ１を実現するためのポンプ流量→旋回流量→ポンプ傾転の演算を経てポジコン電流(第２ポジコン電流)ｉｐ２が算出され、制御ステップＳ５において、前記第１ポジコン電流ｉｂ１とこの第２ポジコン電流ｉｐ２の低位選択が行われる。
【００６５】
図５はこの低位選択の意義を説明するための例として、旋回の減速停止時におけるパイロット圧、電流値、実回転数の推移を示す。
【００６６】
図５中、「第１ポジコン」とは偏差αにゲインの乗算を行う本発明固有の制御、「第２ポジコン」とは従来から行われている、旋回操作量のみによって目標回転数を決める制御をいい、図上段の左側が第２ポジコン、右側が第１ポジコンを示す。
【００６７】
旋回中、リモコン弁１２のレバー１２ａを旋回位置から中立位置に戻すと、その操作時点から目標回転数及びポジコン電流が減少し、これにより実回転数が漸減して旋回停止に至る。
【００６８】
ここで、第２ポジコンでは、レバー中立でポジコン電流が最小となり、中立からわずかのタイムラグを経て旋回停止する。
【００６９】
これに対し、第１ポジコンでは、実回転数のフィードバックを行うことから、電流値及び実回転数ｎｒの減少に第２ポジコン以上の時間を要し、旋回停止が遅れる。
【００７０】
そこで、このときの低位、すなわち第２ポジコンによる電流値を選択することにより、図５の最下段に示すように速やかに実回転数ｎｒを減少させて旋回停止させることができる。
【００７１】
逆に、起動を含む加速時には、第１ポジコンによる電流値が低位として選択されるため、余剰流量を減らすことができる。
【００７２】
このように、この旋回システムによると、基本的に、旋回操作量に応じた旋回モータ１１の目標回転数(一次目標回転数ｎｔ１)と、検出された実回転数ｎｒの偏差αに基づいて余剰流量を０とするポンプ流量制御を行うため、公知技術のようにリリーフ流量の推定値に基づいてポンプ流量の制御を行う場合と比較して、正確な余剰流量に基づく適切な流量制御が可能となる。
【００７３】
これにより、旋回時の余剰流量を抑えてエネルギー効率を高めることができる。
【００７４】
また、旋回操作量から求められる一次目標回転数ｎｔ１と実回転数ｎｒの偏差αに、操作量に応じて、大操作量で小さくなるゲインを乗じて補正回転数ｎｒｅを求め、この補正回転数ｎｒｅと実回転数ｎｒの和で決まる二次目標回転数ｎｔ２から旋回モータ１１に供給すべき旋回流量Ｑｓを求めるため、起動時を含む加速時において、大操作量ではポンプ流量の増加を抑えて余剰流量を減らすことができる一方、小操作量では速度追従性を良くすることができる。
【００７５】
さらに、第１及び第２両ポジコンによる第１及び第２の電流値の低位選択を行うことにより、前記のように加速時に高い省エネ効果を得ることができる一方、減速停止の応答性を良くすることができる。
【００７６】
ところで、上記実施形態のように第１及び第２両ポジコンによる電流値の低位選択を行うのが望ましいが、この低位選択を行わない構成をとった場合でも、余剰流量を正確に求める点の本発明の基本的な目的は達成することができる。
【００７７】
また、本発明はショベルに限らず、ショベルを母体として構成される破砕機や解体機等の他の旋回式作業機械にも上記同様に適用し、かつ、同様の効果を得ることができる。
【符号の説明】
【００７８】
１  下部走行体
２  上部旋回体
３  掘削アタッチメント
１０  油圧ポンプ
１１  旋回モータ
１２  リモコン弁(旋回操作手段)
１３  コントロールバルブ
１４，１５  モータ両側管路
２５  ポンプレギュレータ
２６  制御手段としてのコントローラ
２７  メインリリーフ弁
２８  センサ
２８  パイロット圧センサ
３０  回転数センサ
【図１】
0005738674.tif 000002
【図２】
0005738674.tif 000003
【図３】
0005738674.tif 000004
【図４】
0005738674.tif 000005
【図５】
0005738674.tif 000006
【図６】
0005738674.tif 000007